(57)【特許請求の範囲】
【請求項１】
リール本体の巻取り駆動機構の駆動軸に連結固定され、一側にツマミ部を有するハンドルアームを備えた魚釣用リールにおいて、
前記駆動軸の端部に形成したネジ部に、回り止め係合部と位置決め用係止部が形成された調節部材を螺合させ、
前記ハンドルアームに、前記調節部材の回り止め係合部に対してスライド可能に回り止め嵌合する長孔係合部を形成すると共に、前記調節部材の位置決め用係止部に選択的に係合可能となるように、前記長孔係合部の長手方向に沿って長さ変更用係止部を複数形成したことを特徴とする魚釣用リール。
【発明の詳細な説明】
【０００１】
【発明の属する技術分野】
本発明は、リール本体に回転自在に支持されたハンドルの回転操作で釣糸をスプールに巻取り駆動する魚釣用リールに関し、詳細には、ハンドル部分に特徴を有する魚釣用リールに関する。
【０００２】
【従来の技術】
従来、魚釣用リールとして、例えば、実公昭３９−２２７６１号、実公昭５１−３１３４９号、実開昭５９−１１７３６４号等に開示されているように、対象魚や巻取り負荷、及び巻取り速度等の状況変化に対応して、実釣時にハンドル長さを調節できるようにした構成が知られている。
【０００３】
これらの公知技術は、いずれも巻取り駆動機構に連結されている主ハンドルアームに、調節用ハンドルアームを長手方向に移動可能にネジ止めできるように構成したものである。
【０００４】
【発明が解決しようとする課題】
上記した従来技術の構成では、主ハンドルアームに対して、調節用ハンドルアームを長手方向にスライドさせ、所望の長さ位置でネジを固定するものであることから、部品点数が多くなってしまうと共に、巻取り操作中にネジが緩むことにより、ガタ付き等が発生し易い問題がある。
【０００５】
また、釣場において、巻取り状況に応じてハンドルアームの長さを長短に変更する場合、握持している手をツマミから離してネジ部材を緩めて調節用ハンドルアームを所望の長さに調節後、再びネジ部材を締め付けて固定する操作をしなければならず、長短調節の操作が面倒であると共に、場合によっては工具が必要となることもあり、切換操作性、及び迅速性に劣るという問題がある。
【０００６】
この発明は、上記した問題点に基づいてなされたものであり、部品点数を少なくして、ガタ付き等生じさせること無く確実にハンドルアームの長さ調節が行なえる魚釣用リールを提供することを目的としており、更には、実釣時において、簡単且つ迅速にハンドルアームの長さ調節が行なえる魚釣用リールを提供することを目的とする。
【０００７】
【課題を解決するための手段】
上記した問題を解決するために、本発明の魚釣用リールは、リール本体の巻取り駆動機構の駆動軸に連結固定され、一側にツマミ部を有するハンドルアームを備えた構成において、前記駆動軸の端部に形成したネジ部に、回り止め係合部と位置決め用係止部が形成された調節部材を螺合させ、前記ハンドルアームに、前記調節部材の回り止め係合部に対してスライド可能に回り止め嵌合する長孔係合部を形成すると共に、前記調節部材の位置決め用係止部に選択的に係合可能となるように、前記長孔係合部の長手方向に沿って長さ変更用係止部を複数形成したことを特徴としている。
【０００８】
上記した構成によれば、ハンドルアームは、ハンドル軸に螺合する調節部材によって、いずれかの長さ変更用係止部を介して駆動軸に固定されている。この状態で調節部材を駆動軸に対して緩めると、ハンドルアームは、調節部材の回り止め係合部に沿って、ハンドル軸及び調節部材に対してスライド移動可能となる。これにより、所望の長さ変更用係止部を調節部材の位置決め用係止部に係合させることで、ハンドルアームの長さ調節が成される。
【００１３】
【発明の実施の形態】
以下、本発明に係る魚釣用リールの実施の形態を添付図面に沿って具体的に説明する。
図１〜図６は、本発明の第１の実施形態を示す図であり、図１は、リール本体の断面図（後方から見た図）、図２は、駆動軸に装着されるハンドルアームを示す断面図、図３は、ハンドル軸に螺合される調節部材の構成を示す斜視図、図４は、調節部材とハンドルアームの係合状態を示す断面図、図５は、調節部材とハンドルアームの係合状態を示す平面図、そして、図６は、調節部材とハンドルアームの係合状態を示す斜視図である。
【００１４】
まず、本実施形態の魚釣用リールの全体構成について説明する。
図１に示すように、本実施形態に係る魚釣用リールのリール本体１は、左右フレーム２ａ，２ｂと、これら左右フレーム２ａ，２ｂに所定の空間をもって夫々シール材を介して装着される左右側板３ａ，３ｂとを備えている。前記左右フレーム２ａ，２ｂは、複数の支柱（特定の支柱はサムレストとしての機能を有していても良い）を介して一体化されており、その下方支柱４には、釣竿のリールシートに装着されるリール脚４ａが取り付けられている。
【００１５】
また、左右フレーム２ａ，２ｂ（左右側板３ａ，３ｂ）間には、スプール軸５が軸受６を介して回転可能に支持されており、このスプール軸５には、釣糸が巻回されるスプール５ａが取り付けられている。このスプール５ａは、後述するハンドル１０を回転操作することで、前記右フレーム２ｂと右側板３ｂとの間に収容された巻取り駆動機構１５を介して回転できるように構成されている。なお、ハンドル１０は、巻取り駆動機構１５を構成している駆動軸（ハンドル軸）１６に対して回り止め固定されるハンドルアーム１１と、その一側に設けられたツマミ部１２とを備えた構成となっている。
【００１６】
前記巻取り駆動機構１５は、駆動軸１６に回転可能に支持された駆動歯車１８と、この駆動歯車１８に噛合するピニオン２０とを備えている。この場合、ピニオン２０は、前記スプール軸５と一体的に延出し、右側板３ｂに軸受２２を介して回転可能に支持されたピニオン軸５ｂに設けられており、このピニオン軸５ｂに沿って軸方向に移動可能となっている。また、ピニオン２０の外周には、円周溝２０ａが形成されており、この円周溝にクラッチ機構の作動部材が係合して、ピニオン２０を軸方向に移動することによって駆動力が継脱されるようになっている。なお、クラッチ機構の継脱は、右側板３ｂに設けられた操作レバー２５を回動操作することで成される。
【００１７】
前記駆動軸１６は、右フレーム２ｂに軸受２７を介して回転自在に支持されていると共に、右側板との間に介在された転がり式の一方向クラッチ２８（逆転防止機構）によって、釣糸巻取方向にのみ回転可能となっている。なお、駆動軸１６は、その端部が右側板３ｂから突出しており、その突出端に、前記ハンドル１０のハンドルアーム１１が装着されるようになっている。
【００１８】
また、前記巻取り駆動機構１５は、駆動軸１６及び駆動歯車１８との間に、ドラグ機構３０を備えており、駆動軸１６に設けられたドラグ調節部材３１を回転操作することで、魚釣時にスプール５ａから繰り出される釣糸に対して、所望のドラグ力を付与するようになっている。
【００１９】
次に、駆動軸１６に装着されるハンドル１０の構成について説明する。
前記ハンドル１０は、そのハンドルアーム１１が調節部材５０を介して駆動軸１６に装着されるようになっている。駆動軸１６は断面非円形状に形成されており、その先端部分にはネジ部（雄ネジ部）１６ａが形成されている。また、前記調節部材５０は、キャップ形状をなしており、ネジ部１６ａと螺合するネジ部（雌ネジ部）５０ａを具備した円筒状の凸部５１が形成されている。
【００２０】
前記ハンドルアーム１１には、その基端側に軸方向に沿った長孔係合部１１ａが形成されている。また、ハンドルアーム１１の表面には、長孔係合部１１ａに沿って所定間隔をおいて、溝状の複数の長さ変更用係止部１１ｂが形成されている。各長さ変更用係止部１１ｂは、長孔係合部１１ａに略直交する方向で、長孔係合部１１ａを挟んで対向するように対で形成されており、夫々の長さ変更用係止部１１ｂは、同一形状に形成されている。
【００２１】
前記調節部材５０の凸部５１には、長孔係合部１１ａの内壁に沿うように、回り止め係合部５１ａが形成されており、ハンドルアーム１１は、長孔係合部１１ａを介して回り止め係合部５１ａに沿って長手方向にスライドできるようになっている。また、凸部５１には、回り止め係合部５１ａが形成されている面の基端部分に、径方向に突出する一対の位置決め用係止部５１ｂが形成されており、前記ハンドルアーム１１に形成されているいずれかの長さ変更用係止部１１ｂが選択的に係合できるようになっている。
また、前記駆動軸１６の先端側には、ハンドルアーム位置決めカラー５５が固定されており、ハンドルアーム１１を軸方向で位置決めするようになっている。
【００２２】
上記した構成のハンドル１０によれば、実釣時において、容易にハンドルアーム１１の長さ調節が可能となる。以下、図７〜図１１を併せて参照しながら、ハンドルアームの長さ調節作用について説明する。
【００２３】
最初、図１〜図６に示すように、ハンドルアーム１１は、最も回転半径が短い位置に固定されていたとする。この状態でハンドル１０を釣糸巻取り方向と反対方向（以下、反対方向）に回転操作すると、駆動軸１６は、上記した一方向クラッチ２８によって、その反対方向の回転が阻止されていることから、調節部材５０は、図７及び図８の矢印方向で示すように、ハンドルアーム１１の回転と共に、駆動軸１６から外れる方向に移動して行く。
【００２４】
そして、調節部材５０が、ある程度軸方向に移動すると、位置決め用係止部５１ｂがハンドルアーム１１の長さ変更用係止部１１ｂから外れるため、ハンドルアーム１１は、調節部材の凸部５１に形成された回り止め係合部５１ａに沿ってスライド移動可能な状態となる。
【００２５】
この状態で、ハンドルアーム１１をスライドして、所望の長さ変更用係止部１１ｂ（図では、先端から３つ目）に位置付け、その位置で、ハンドル１０を釣糸巻取り方向に回転操作することで、調節部材５０は、ハンドル１０の巻取り操作と共に再び締め付けられる。ハンドル１０の巻取り操作は、ハンドルアーム１１がハンドルアーム位置決めカラー５５に当て付くことで、それ以上の回転が阻止され、ハンドル１０は、回転半径が長くなった状態で巻取り操作が行なえるようになる。
【００２６】
上記したような構成によれば、ハンドルアーム１１を固定部分とスライド部分に分割する必要が無くなり、部品点数を少なくすることができる。また、ハンドルアーム１１と調節部材５０とを嵌合する構成にしたため、通常の巻取り操作時においてガタ付き等が発生するようなこともない。特に、本実施形態のように、調節部材５０とハンドルアーム１１とを、スライド方向に対して直交方向で係合させる構成にしたことで、ガタ付きを効果的に防止することができる。
【００２７】
また、本実施形態では、単にハンドル１０を反対方向に回転させ、ハンドルアーム１１をスライドさせて長さ調節した後、ハンドル１０を巻取り方向に回転操作するだけで良いため、ツマミ部１２から手を離す必要が無く（握持した状態を維持したまま）、また、工具等を用いることなく、簡単且つ迅速に長さ調節が行なえるようになる。
【００２８】
図１２は、上述した本発明の実施形態の変形例を示す図であり、ハンドルアーム部分のみを示した分解斜視図である。
【００２９】
この変形例は、調節部材５０と、ハンドルアーム１１の係合方法を変形したものである。すなわち、調節部材５０の凸部５１の両サイド表面に、円柱状の一対の位置決め用係止部５１ｂ´を形成すると共に、ハンドルアーム１１の表面には、この位置決め用係止部５１ｂ´が係合できるように、長孔係合部１１ａに沿って所定間隔をおいて、穴状の複数の長さ変更用係止部１１ｂ´を形成している。この場合、各長さ変更用係止部１１ｂ´は、長孔係合部１１ａに略直交する方向で、長孔係合部１１ａを挟んで対向するように対で形成されており、夫々の長さ変更用係止部１１ｂ´は、同一形状に形成されている。
【００３０】
このような構成でも、上述した実施形態と同様な手順でハンドルアームの長さ調節ができると共に、同様な作用効果が得られる。
【００３１】
図１３は、本発明の第２の実施形態を示す図であり、ハンドルアーム部分のみを示した分解斜視図である。
【００３２】
この実施形態のハンドルは、ハンドルアーム６１の基端側に、長さ方向に沿って、所定間隔で複数の長さ変更用の係止部（貫通する雌ネジ部）６１ａを形成したものであり、駆動軸１６とハンドルアーム６１との装着を、雌ネジ部７０ａが形成されたキャップ７０によって行なうようにしたものである。
【００３３】
このような構成によれば、ハンドルを反対方向に回転操作することで、駆動軸１６から、キャップ７０及びハンドルアーム６１を取外し、所望の雌ネジ部６１ａを選択してハンドルを巻取り方向に回転操作すると共に、キャップ７０を駆動軸１６のネジ部１６ａに締め付けることで長さ調節が行なえる。
【００３４】
このような構成でも、部品点数を少なくすることができると共に、長さ調節をした後、ハンドルを巻取り方向に回転操作しても、締め付け方向へ回転操作するだけであるため、ガタ付き等の発生を防止することができる。
【００３５】
以上、本発明の実施の形態について説明したが、本発明は、上記した実施形態に限定されることは無く、種々変形することが可能である。例えば、調節部材に形成される回り止め係合部、位置決め用係止部の構成や、それに対応して形成されるハンドルアームの長さ変更用係止部の構成については、適宜変形することが可能である。
【００３６】
また、本発明に係る魚釣用リールは、ハンドルの長さを調節する部分に特徴があり、図に示した両軸受型リール以外の各種形態の魚釣用リールに適用することが可能である。
【００３７】
【発明の効果】
以上、本発明によれば、部品点数を少なくして、ガタ付き等を生じさせること無く確実にハンドルアームの長さ調節が行なえる魚釣用リールが得られる。また、本発明によれば、実釣時において、工具等を必要とすること無く、簡単且つ迅速にハンドルアームの長さ調節が行なえる魚釣用リールが得られる。
【図面の簡単な説明】
【図１】本発明に係る魚釣用リールの一実施の形態を示す図であり、リール本体の断面図。
【図２】駆動軸に装着されるハンドルアームを示す断面図。
【図３】ハンドル軸に螺合される調節部材の構成を示す斜視図。
【図４】調節部材とハンドルアームの係合状態を示す断面図。
【図５】調節部材とハンドルアームの係合状態を示す平面図。
【図６】調節部材とハンドルアームの係合状態を示す斜視図。
【図７】ハンドルアームを反対方向に回転操作した状態を示す断面図。
【図８】ハンドルアームを反対方向に回転操作した状態を示す斜視図。
【図９】ハンドルアームを反対方向に回転操作した後、ハンドルアームの長さを変更した状態を示す断面図。
【図１０】ハンドルアームを反対方向に回転操作した後、ハンドルアームの長さを変更した状態を示す平面図。
【図１１】ハンドルアームを反対方向に回転操作した後、ハンドルアームの長さを変更した状態を示す斜視図。
【図１２】図１〜図１２に示す実施形態の変形例を示す図であり、ハンドルアーム部分のみを示した分解斜視図。
【図１３】本発明の第２の実施形態を示す図であり、ハンドルアーム部分のみを示した分解斜視図。
【符号の説明】
１  リール本体
１０  ハンドル
１１，６１  ハンドルアーム
１１ａ  長孔係合部
１１ｂ，１１ｂ´  長さ変更用係止部
１２  ツマミ部
１５  巻取り駆動機構
１６  駆動軸（ハンドル軸）
５０  調節部材
５１ａ  回り止め係合部
５１ｂ，５１ｂ´  位置決め用係止部
【図１】
0003776029.tif 000002
【図２】
0003776029.tif 000003
【図３】
0003776029.tif 000004
【図４】
0003776029.tif 000005
【図５】
0003776029.tif 000006
【図６】
0003776029.tif 000007
【図７】
0003776029.tif 000008
【図８】
0003776029.tif 000009
【図９】
0003776029.tif 000010
【図１０】
0003776029.tif 000011
【図１１】
0003776029.tif 000012
【図１２】
0003776029.tif 000013
【図１３】
0003776029.tif 000014